(57)【要約】【課題】大型化や複雑化、突起形状を招くことなく通信対象のカード型記録媒体を保持し得る保持機構を有する折畳み式携帯端末を提供する。【解決手段】カード読取部２４は、カード側端子４１ａに接触することで当該接触式ＩＣカード４１と通信する端末側端子４３を備えている。このように通信対象が接触式ＩＣカード４１であっても挟持部４２の適所に端末側端子４３を配置することで、挟持部４２による挟持時にカード側端子４１ａおよび端末側端子４３が接触するので、保持された接触式ＩＣカード４１と円滑に通信することができる。【選択図】図１
2011166275.tif 000002
【特許請求の範囲】
【請求項１】
第１筐体および第２筐体が折畳み可能に連結され、カード型記録媒体と通信するための通信手段を備える折畳み式携帯端末であって、
折畳み状態時に互いに対向する前記第１筐体の第１対向面と前記第２筐体の第２対向面との少なくとも一方には操作部が設けられ、
前記第１対向面および前記第２対向面の外縁には、折畳み状態時にこれら両対向面間に挿入された前記カード型記録媒体を挟持する挟持部が、前記両対向面の少なくとも一方に形成される溝部により構成されて配置され、
前記挟持部には、前記通信手段が配置されることを特徴とする折畳み式携帯端末。  
【請求項２】
前記溝部は、前記カード型記録媒体を前記通信手段に対して位置決めするための段部を有することを特徴とする請求項１に記載の折畳み式携帯端末。
【請求項３】
前記カード型記録媒体は、磁気ストライプを有する磁気カードであり、
前記通信手段は、スライドする前記磁気ストライプに接触することで前記磁気カードと通信する磁気ヘッドを備えることを特徴とする請求項１または２に記載の折畳み式携帯端末。
【請求項４】
前記カード型記録媒体は、カード側端子を有する接触式ＩＣカードであり、
前記通信手段は、前記カード側端子に接触することで前記接触式ＩＣカードと通信する端末側端子を備えることを特徴とする請求項１または２に記載の折畳み式携帯端末。
【請求項５】
前記カード型記録媒体は、非接触式ＩＣカードであり、
前記通信手段は、前記非接触式ＩＣカードと通信する送受信アンテナを備えることを特徴とする請求項１または２に記載の折畳み式携帯端末。
【請求項６】
前記通信手段は、複数種類のカード型記録媒体と通信するためにこれら各カード型記録媒体にそれぞれ対応する通信部を複数備えることを特徴とする請求項１〜５のいずれか一項に記載の折畳み式携帯端末。
【請求項７】
前記第１対向面と前記第２対向面とが離間する開状態時に前記通信手段を保護する保護部材を備えることを特徴とする請求項１〜６のいずれか一項に記載の折畳み式携帯端末。
【請求項８】
前記第１対向面および前記第２対向面が対向する折畳み状態と離間する開状態とのいずれかの状態を検知する検知手段を備え、
前記通信手段は、前記検知手段により前記開状態から前記折畳み状態への変化が検知されると、前記カード型記録媒体に対して通信可能状態になることを特徴とする請求項１〜７のいずれか一項に記載の折畳み式携帯端末。
【発明の詳細な説明】
【技術分野】
【０００１】
本発明は、カード型記録媒体と通信可能な折畳み式の携帯端末に関するものである。
【背景技術】
【０００２】
従来、カード型記録媒体と通信可能な携帯端末に関する技術として、下記特許文献１に示す携帯電話が知られている。この携帯電話は、カバーを裏面側に引き出すことで開口したカード挿入口に対し、両側がカードガイド部で支持されたＩＣカードを挿入してコネクタ部にＩＣカードのメモリ部を接触させることで、当該ＩＣカードから情報を読み出している。
【先行技術文献】
【特許文献】
【０００３】
【特許文献１】特開２００３−０６０７６０号公報
【発明の概要】
【発明が解決しようとする課題】
【０００４】
しかしながら、上記特許文献１に示すような構成の携帯電話では、ＩＣカードなどのカード型記録媒体の読み取り中でも着信可能であるため、電波の受信やその受信に応じた振動の発生等により携帯電話またはカード型記録媒体の故障の原因となる可能性がある。また、上述のような構成を有する携帯端末では、カード読取中でも当該携帯端末の操作が可能である場合には、このような操作も故障の原因となる可能性がある。上述のような故障をなくすために、携帯端末に、カード型記録媒体との通信時に当該カード型記録媒体を挟み込むように保持しこの保持中に所定の処理を制限する保持装置を設けると、処理が複雑になるだけでなく携帯端末の小型化が困難になる。
【０００５】
本発明は、上述した課題を解決するためになされたものであり、その目的とするところは、大型化や複雑化、突起形状を招くことなく通信対象のカード型記録媒体を保持し得る保持機構を有する折畳み式携帯端末を提供することにある。
【課題を解決するための手段】
【０００６】
上記目的を達成するため、特許請求の範囲に記載の請求項１の折畳み式携帯端末では、第１筐体および第２筐体が折畳み可能に連結され、カード型記録媒体と通信するための通信手段を備える折畳み式携帯端末であって、折畳み状態時に互いに対向する前記第１筐体の第１対向面と前記第２筐体の第２対向面との少なくとも一方には操作部が設けられ、前記第１対向面および前記第２対向面の外縁には、折畳み状態時にこれら両対向面間に挿入された前記カード型記録媒体を挟持する挟持部が、前記両対向面の少なくとも一方に形成される溝部により構成されて配置され、前記挟持部には、前記通信手段が配置されることを特徴とする。
【０００７】
請求項２の発明は、請求項１に記載の折畳み式携帯端末において、前記溝部は、前記カード型記録媒体を前記通信手段に対して位置決めするための段部を有することを特徴とする。
【０００８】
請求項３の発明は、請求項１または２に記載の折畳み式携帯端末において、前記カード型記録媒体は、磁気ストライプを有する磁気カードであり、前記通信手段は、スライドする前記磁気ストライプに接触することで前記磁気カードと通信する磁気ヘッドを備えることを特徴とする。
【０００９】
請求項４の発明は、請求項１または２に記載の折畳み式携帯端末において、前記カード型記録媒体は、カード側端子を有する接触式ＩＣカードであり、前記通信手段は、前記カード側端子に接触することで前記接触式ＩＣカードと通信する端末側端子を備えることを特徴とする。
【００１０】
請求項５の発明は、請求項１または２に記載の折畳み式携帯端末において、前記カード型記録媒体は、非接触式ＩＣカードであり、前記通信手段は、前記非接触式ＩＣカードと通信する送受信アンテナを備えることを特徴とする。
【００１１】
請求項６の発明は、請求項１〜５のいずれか一項に記載の折畳み式携帯端末において、前記通信手段は、複数種類のカード型記録媒体と通信するためにこれら各カード型記録媒体にそれぞれ対応する通信部を複数備えることを特徴とする。
【００１２】
請求項７の発明は、請求項１〜６のいずれか一項に記載の折畳み式携帯端末において、前記第１対向面と前記第２対向面とが離間する開状態時に前記通信手段を保護する保護部材を備えることを特徴とする。
【００１３】
請求項８の発明は、請求項１〜７のいずれか一項に記載の折畳み式携帯端末において、前記第１対向面および前記第２対向面が対向する折畳み状態と離間する開状態とのいずれかの状態を検知する検知手段を備え、前記通信手段は、前記検知手段により前記開状態から前記折畳み状態への変化が検知されると、前記カード型記録媒体に対して通信可能状態になることを特徴とする。
【発明の効果】
【００１４】
請求項１の発明では、第１筐体の第１対向面および第２筐体の第２対向面の外縁には、折畳み状態時にこれら両対向面間に挿入されたカード型記録媒体を挟持する挟持部が、両対向面の少なくとも一方に形成される溝部により構成されて配置される。そして、この挟持部には、カード型記録媒体と通信するための通信手段が配置される。
【００１５】
このように、折畳み状態時に溝部によって構成される挟持部によりカード型記録媒体が挟持されるため、通信時にカード型記録媒体を保持するスリット等の保持機構を別途設ける必要がなく、対向面の外縁の適所に上記溝部を形成すればよいので、上記挟持部を設けることによる当該携帯端末の大型化を抑制することができる。さらに、カード型記録媒体と通信する場合には両対向面を折畳む必要があるので、特別な処理や機構を設けることなく、カード型記録媒体との通信時に対向面の操作部が操作されることを防止することができる。
したがって、大型化や複雑化等を招くことなく通信対象のカード型記録媒体を保持することができる。
【００１６】
請求項２の発明では、溝部には、カード型記録媒体を通信手段に対して位置決めするための段部が設けられるので、挟持部による挟持状態のカード型記録媒体を段部に接触等させることで、当該カード型記録媒体を通信手段に対して確実に位置決めすることができる。
【００１７】
請求項３の発明では、カード型記録媒体は、磁気ストライプを有する磁気カードであり、通信手段は、スライドする磁気ストライプに接触することで当該磁気カードと通信する磁気ヘッドを備えている。このように通信対象が磁気カードであっても挟持部の適所に磁気ヘッドを配置することで、挟持部にて挟持されながらスライドする磁気カードの磁気ストライプと磁気ヘッドとが接触するので、保持された磁気カードと円滑に通信することができる。
【００１８】
請求項４の発明では、カード型記録媒体は、カード側端子を有する接触式ＩＣカードであり、通信手段は、カード側端子に接触することで当該接触式ＩＣカードと通信する端末側端子を備えている。このように通信対象が接触式ＩＣカードであっても挟持部の適所に端末側端子を配置することで、挟持部による挟持時にカード側端子および端末側端子が接触するので、保持された接触式ＩＣカードと円滑に通信することができる。
【００１９】
請求項５の発明では、カード型記録媒体は、非接触式ＩＣカードであり、通信手段は、当該非接触式ＩＣカードと通信する送受信アンテナを備えている。このように通信対象が非接触式ＩＣカードであっても、挟持部による挟持時に送受信アンテナを介して当該非接触式ＩＣカードと通信することで、保持された非接触式ＩＣカードと円滑に通信することができる。
【００２０】
請求項６の発明では、通信手段は、例えば、磁気カードや接触式ＩＣカードおよび非接触式ＩＣカードのように複数種類のカード型記録媒体と通信するために、これら各カード型記録媒体にそれぞれ対応する通信部、例えば、上述した磁気ヘッドや端末側端子および送受信アンテナ等を複数備えている。これにより、１つの端末で複数種類のカード型記録媒体と通信する場合であっても、通信対象のカード型記録媒体を挟持部により保持することができる。
【００２１】
請求項７の発明では、第１対向面と第２対向面とが離間する開状態時に通信手段を保護する保護部材が設けられている。これにより、操作部の操作時等に第１対向面と第２対向面とを離間させる場合であっても、保護部材により通信手段を確実に保護することができる。
【００２２】
請求項８の発明では、第１対向面および第２対向面が対向する折畳み状態と離間する開状態とのいずれかの状態を検知する検知手段が設けられており、通信手段は、検知手段により開状態から折畳み状態への変化が検知されると、カード型記録媒体に対して通信可能状態になる。
【００２３】
カード型記録媒体に対して通信が必要になる場合は、主に、両対向面を離間させた開状態にて操作手段に対して所定の操作がなされた後である。そのため、検知手段による開状態から折畳み状態への変化の検知により、操作手段に対して所定の操作がなされたことが推定されてカード型記録媒体に対して通信可能状態になることで、常に通信可能状態に待機する場合と比較して、消費電力の低減を図ることができる。
【図面の簡単な説明】
【００２４】
【図１】本第１実施形態に係る携帯端末を示す正面図である。
【図２】図２（Ａ）は、携帯端末の折畳み状態を示す斜視図であり、図２（Ｂ）は、携帯端末の開状態を示す斜視図である。
【図３】携帯端末の電気的構成を概略的に例示するブロック図である。
【図４】磁気ストライプと磁気ヘッドとの接触時における挟持部による挟持状態を示す一部断面図である。
【図５】磁気カードとの通信時の状態を示す斜視図である。
【図６】本第２実施形態に係る携帯端末を示す正面図である。
【図７】カード側端子と端末側端子との接触時における挟持部による挟持状態を示す一部断面図である。
【図８】接触式ＩＣカードとの通信時の状態を示す斜視図である。
【図９】本第３実施形態に係る携帯端末を示す正面図である。
【図１０】非接触式ＩＣカードとの通信時における挟持部による挟持状態を示す一部断面図である。
【図１１】非接触式ＩＣカードとの通信時の状態を示す斜視図である。
【図１２】本第４実施形態に係る携帯端末の要部を示す正面図である。
【図１３】本第５実施形態に係る携帯端末の要部を示す説明であり、図１３（Ａ）は折畳み状態を示し、図１３（Ｂ）は折畳み状態から開状態へ変化する状態を示し、図１３（Ｃ）は保護状態を示す。
【発明を実施するための形態】
【００２５】
［第１実施形態］
以下、本発明の折畳み式の携帯端末を具現化した第１実施形態について、図面を参照して説明する。
本第１実施形態に係る携帯端末１０は、飲食店などで顧客からのオーダをテーブルにて受付可能なオーダ端末であり、かつ、カード型記録媒体として磁気カード３１によるカード決済が可能な決済端末として使用されるものである。当該携帯端末１０は、図１および図２に示すように、第１筐体１１と第２筐体１２とがヒンジ１３により折畳み可能に連結されることで、折畳み式携帯端末として構成されている。なお、図２では、便宜上、表示部２３等の構成部品の一部を省略して示している。
【００２６】
第１筐体１１および第２筐体１２は、折畳み状態時に第１対向面１１ａおよび第２対向面１２ａにて互いに対向する。これら第１対向面１１ａおよび第２対向面１２ａには、オーダ受付時などに所定の情報を入力するための操作部２２を構成する複数のキーが配置されており、特に、第１対向面１１ａには、オーダに関する情報などを表示する液晶画面等の表示部２３が配置されている。
【００２７】
また、第２対向面１２ａの外縁近傍には、段部１４ｂにより、複数のキーが配置される面よりも低く形成される溝部１４ａが形成されている。この溝部１４ａは、第１対向面１１ａとにより、両対向面１１ａ，１２ａの折畳み状態時にこれら両対向面１１ａ，１２ａ間に挿入された磁気カード３１をスライド可能に挟持する挟持部１４として機能する。ここで、溝部１４ａの深さ（段部１４ｂの高さ）は、両対向面１１ａ，１２ａ間に挿入された磁気カード３１がスライドする場合でも当該磁気カード３１を挟持可能な寸法に設定されている。
【００２８】
また、図３に示すように、携帯端末１０は、第１筐体１１および第２筐体１２の内部に回路部２０とこの回路部２０を構成する各種電気部品の電源として機能する電源装置２８とが収容されてなるものである。回路部２０は、全体的制御を司る制御部２１と、上記操作部２２および表示部２３と、カード読取部２４と、通信部２５と、検知スイッチ２６とを備えている。
【００２９】
制御部２１は、マイコンを主体として構成されるものであり、ＣＰＵ、システムバス、入出力インターフェース等を有し、メモリ２７とともに情報処理装置として機能する。メモリ２７は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当し、オーダに関する処理等を実行可能な所定のプログラムや、表示部２３およびカード読取部２４等の各ハードウェアを制御可能なシステムプログラムなどが予め格納されている。
【００３０】
カード読取部２４は、スライドする磁気カード３１の磁気ストライプ３１ａに接触することで当該磁気カード３１と通信可能な磁気ヘッド２４ａを備えている。この磁気ヘッド２４ａは、挟持部１４に挿入した磁気カード３１を段部１４ｂに接触させた状態でスライドさせるときに、磁気ストライプ３１ａに接触するように溝部１４ａに配置されている（図１参照）。なお、カード読取部２４および磁気ヘッド２４ａは、特許請求の範囲に記載の「通信手段」の一例に相当し得る。
【００３１】
通信部２５は、外部機器と無線通信を行なうための無線通信手段として機能するもので、店内のオーダ情報を集計して処理するサーバーや、決済関連情報を集計して処理するサーバー等に対して、オーダ情報や決済関連情報等を無線通信可能に構成されている。
【００３２】
検知スイッチ２６は、第１対向面１１ａおよび第２対向面１２ａが対向する折畳み状態と、両対向面１１ａ，１２ａが離間する開状態とのいずれかの状態を検知する検知手段として機能するものである。この検知スイッチ２６は、第２対向面１２ａに形成される貫通穴から突出する突起２６ａが第１対向面１１ａにより押圧されるか否かを検出することで、折畳み状態および開状態のいずれかの状態を検知するように構成されている。この検知スイッチ２６により、制御部２１に対して、折畳み状態では折畳み信号が出力され、開状態では開信号が出力されることとなる。なお、検知スイッチ２６は、特許請求の範囲に記載の「検知手段」の一例に相当し得る。
【００３３】
次に、本第１実施形態に係る携帯端末１０の作用効果について説明する。ここで、図４は、磁気ストライプ３１ａと磁気ヘッド２４ａとの接触時における挟持部１４による挟持状態を示す一部断面図である。また、図５は、磁気カード３１との通信時の状態を示す斜視図である。
【００３４】
テーブルでのオーダの注文時には、店員である使用者が第１対向面１１ａおよび第２対向面１２ａを開状態にして、顧客が要求するオーダに対応する操作が操作部２２に対して実施される。これにより、オーダ情報が、制御部２１により制御されて通信部２５を介して所定のサーバーに無線送信される。このとき、オーダ情報等が表示部２３に表示されてもよい。
【００３５】
また、テーブルにて顧客が所有する磁気カード３１を使用した決済を希望する場合には、使用者が第１対向面１１ａおよび第２対向面１２ａを開状態にして、決済対象を確定するための操作が操作部２２に対して実施される。そして、使用者が第１対向面１１ａおよび第２対向面１２ａを折畳み状態にすると、カード読取部２４が通信可能状態になる。これは、本第１実施形態では、検知スイッチ２６により制御部２１に対して出力される信号が開信号から折畳み信号に変化する状態、すなわち、開状態から折畳み状態への変化が検知されると、カード読取部２４が自動的に通信可能状態になるからである。
【００３６】
折畳み状態では、第２対向面１２ａの溝部１４ａと第１対向面１１ａとにより挟持部１４が構成される。図４および図５に示すように、この挟持部１４に決済用の磁気カード３１を段部１４ｂに接触するまで挿入することで、当該磁気カード３１が挟持部１４により挟持された状態で磁気ストライプ３１ａが磁気ヘッド２４ａに接触する。この状態で、図５に示すように、矢印α１方向に、磁気カード３１を挟持部１４に対してスライドさせることで、磁気ストライプ３１ａがスライドしながら磁気ヘッド２４ａに接触する。これにより、磁気カード３１の決済関連情報が取得されて、この決済関連情報が支払い情報とともに制御部２１により制御されて通信部２５を介して所定のサーバーに無線送信される。そして、このサーバーから通信部２５を介して決済済み情報が受信されると、決済処理が完了する。
【００３７】
以上説明したように、本第１実施形態に係る携帯端末１０では、カード決済を行なうカード型記録媒体として磁気カード３１を通信対象としている。第１筐体１１の第１対向面１１ａおよび第２筐体１２の第２対向面１２ａの外縁には、折畳み状態時にこれら両対向面１１ａ，１２ａ間に挿入された磁気カード３１を挟持する挟持部１４が、第２対向面１２ａの溝部１４ａと第１対向面１１ａとにより構成されて配置される。そして、この挟持部１４には、スライドする磁気ストライプ３１ａに接触することで磁気カード３１と通信する磁気ヘッド２４ａが配置されている。
【００３８】
このように、折畳み状態時に構成される挟持部１４により磁気カード３１が挟持されるため、通信時に磁気カード３１を保持するスリット等の保持機構を別途設ける必要がなく、第２対向面１２ａの外縁の適所に上記溝部１４ａを形成すればよいので、上記挟持部１４を設けることによる当該携帯端末１０の大型化を抑制することができる。さらに、磁気カード３１と通信する場合には両対向面１１ａ，１２ａを折畳む必要があるので、特別な処理や機構を設けることなく、磁気カード３１との通信時に操作部２２が操作されることを防止することができる。
したがって、大型化や複雑化等を招くことなく通信対象の磁気カード３１を保持することができる。
【００３９】
また、本第１実施形態に係る携帯端末１０では、溝部１４ａには、磁気カード３１の磁気ストライプ３１ａを磁気ヘッド２４ａに対して位置決めするための段部１４ｂが設けられている。これにより、挟持部１４による挟持状態の磁気カード３１を段部１４ｂに接触させるまで挿入することで、当該磁気カード３１の磁気ストライプ３１ａを磁気ヘッド２４ａに対して確実に位置決めすることができる。
【００４０】
さらに、本第１実施形態に係る携帯端末１０では、折畳み状態および開状態とのいずれかの状態を検知する検知スイッチ２６が設けられており、カード読取部２４は、検知スイッチ２６により開状態から折畳み状態への変化が検知されると、磁気カード３１に対して通信可能状態になる。
【００４１】
磁気カード３１に対して通信が必要になる場合は、主に、両対向面１１ａ，１２ａを離間させた開状態にて操作部２２に対して所定の操作がなされた後である。そのため、検知スイッチ２６による開状態から折畳み状態への変化の検知により、操作部２２に対して所定の操作がなされたことが推定されて磁気カード３１に対して通信可能状態になることで、常に通信可能状態に待機する場合と比較して、消費電力の低減を図ることができる。
【００４２】
［第２実施形態］
次に、本発明の折畳み式の携帯端末を具現化した第２実施形態について、図６〜図８を参照して説明する。図６は、本第２実施形態に係る携帯端末１０ａを示す正面図である。図７は、カード側端子４１ａと端末側端子４３との接触時における挟持部４２による挟持状態を示す一部断面図である。図８は、接触式ＩＣカード４１との通信時の状態を示す斜視図である。
【００４３】
本第２実施形態に係る携帯端末１０ａは、カード決済を行なうカード型記録媒体として接触式ＩＣカード４１が通信対象であり、挟持部１４および磁気ヘッド２４ａに代えて挟持部４２および端末側端子４３を採用する点が、上記第１実施形態に係る携帯端末と異なる。したがって、上述した第１実施形態の携帯端末と実質的に同一の構成部分には同一符号を付し、説明を省略する。
【００４４】
図６に示すように、第２対向面１２ａの外縁近傍には、段部４２ｂにより、複数のキーが配置される面よりも低く形成される溝部４２ａが形成されている。この溝部４２ａは、第１対向面１１ａとにより、両対向面１１ａ，１２ａの折畳み状態時にこれら両対向面１１ａ，１２ａ間に挿入された接触式ＩＣカード４１を挟持する挟持部４２として機能する。ここで、溝部４２ａの深さ（段部４２ｂの高さ）は、両対向面１１ａ，１２ａ間に挿入された接触式ＩＣカード４１を挟持可能な寸法に設定されている。
【００４５】
カード読取部２４は、接触式ＩＣカード４１のカード側端子４１ａに接触することで当該接触式ＩＣカード４１と通信可能な端末側端子４３を備えている。この端末側端子４３は、挟持部４２に挿入した接触式ＩＣカード４１を段部４２ｂに接触させるときに、カード側端子４１ａに接触するように溝部４２ａに配置されている。なお、カード読取部２４および端末側端子４３は、特許請求の範囲に記載の「通信手段」の一例に相当し得る。
【００４６】
次に、本第２実施形態に係る携帯端末１０ａの作用効果について説明する。
テーブルにて顧客が所有する接触式ＩＣカード４１を使用した決済を希望する場合には、使用者が第１対向面１１ａおよび第２対向面１２ａを開状態にして、決済対象を確定するための操作が操作部２２に対して実施される。そして、使用者が第１対向面１１ａおよび第２対向面１２ａを折畳み状態にすると、上記第１実施形態と同様に、カード読取部２４が通信可能状態になる。
【００４７】
折畳み状態では、第２対向面１２ａの溝部４２ａと第１対向面１１ａとにより挟持部４２が構成される。この挟持部４２に決済用の接触式ＩＣカード４１を、図８の矢印α２方向へ段部４２ｂに接触するまで挿入することで、図７および図８に示すように、当該接触式ＩＣカード４１が挟持部４２により挟持された状態でカード側端子４１ａが端末側端子４３に接触する。これにより、接触式ＩＣカード４１の決済関連情報が取得されて、この決済関連情報が支払い情報とともに制御部２１により制御されて通信部２５を介して所定のサーバーに無線送信される。そして、このサーバーから通信部２５を介して決済済み情報が受信されると、決済処理が完了する。
【００４８】
以上説明したように、本第２実施形態に係る携帯端末１０ａでは、カード型記録媒体は、カード側端子４１ａを有する接触式ＩＣカード４１であり、カード読取部２４は、カード側端子４１ａに接触することで当該接触式ＩＣカード４１と通信する端末側端子４３を備えている。このように通信対象が接触式ＩＣカード４１であっても挟持部４２の適所に端末側端子４３を配置することで、挟持部４２による挟持時にカード側端子４１ａおよび端末側端子４３が接触するので、保持された接触式ＩＣカード４１と円滑に通信することができる。
【００４９】
［第３実施形態］
次に、本発明の折畳み式の携帯端末を具現化した第３実施形態について、図９〜図１１を参照して説明する。図９は、本第３実施形態に係る携帯端末１０ｂを示す正面図である。図１０は、非接触式ＩＣカード５１との通信時における挟持部１４による挟持状態を示す一部断面図である。図１１は、非接触式ＩＣカード５１との通信時の状態を示す斜視図である。
【００５０】
本第３実施形態に係る携帯端末１０ｂは、カード決済を行なうカード型記録媒体として非接触式ＩＣカード５１が通信対象であり、磁気ヘッド２４ａに代えて送受信アンテナ５２を採用する点が、上記第１実施形態に係る携帯端末と異なる。したがって、上述した第１実施形態の携帯端末と実質的に同一の構成部分には同一符号を付し、説明を省略する。
【００５１】
カード読取部２４は、非接触式ＩＣカード５１の送受信アンテナ５１ａを介して当該非接触式ＩＣカード５１と無線通信可能な送受信アンテナ５２を備えている。この送受信アンテナ５２は、図９および図１０に示すように、挟持部１４に挿入して挟持された非接触式ＩＣカード５１と無線通信可能に、溝部１４ａ近傍の第２筐体１２内に配置されている。なお、カード読取部２４および送受信アンテナ５２は、特許請求の範囲に記載の「通信手段」の一例に相当し得る。
【００５２】
次に、本第３実施形態に係る携帯端末１０ｂの作用効果について説明する。
テーブルにて顧客が所有する非接触式ＩＣカード５１を使用した決済を希望する場合には、使用者が第１対向面１１ａおよび第２対向面１２ａを開状態にして、決済対象を確定するための操作が操作部２２に対して実施される。そして、使用者が第１対向面１１ａおよび第２対向面１２ａを折畳み状態にすると、上記第１実施形態と同様に、カード読取部２４が通信可能状態になる。
【００５３】
折畳み状態では、第２対向面１２ａの溝部４２ａと第１対向面１１ａとにより挟持部１４が構成される。この挟持部１４に決済用の非接触式ＩＣカード５１を、図１１の矢印α３方向へ段部１４ｂに接触するまで挿入することで、図１０および図１１に示すように、当該非接触式ＩＣカード５１が挟持部４２により挟持される。この挟持状態で、送受信アンテナ５１ａおよび送受信アンテナ５２を介して、非接触式ＩＣカード５１と無線通信がなされる。これにより、非接触式ＩＣカード５１の決済関連情報が取得されて、この決済関連情報が支払い情報とともに制御部２１により制御されて通信部２５を介して所定のサーバーに無線送信される。そして、このサーバーから通信部２５を介して決済済み情報が受信されると、決済処理が完了する。
【００５４】
以上説明したように、本第３実施形態に係る携帯端末１０ｂでは、カード型記録媒体は、非接触式ＩＣカード５１であり、カード読取部２４は、当該非接触式ＩＣカード５１と通信する送受信アンテナ５２を備えている。このように通信対象が非接触式ＩＣカード５１であっても、挟持部１４による挟持時に送受信アンテナ５２を介して当該非接触式ＩＣカード５１と通信することで、保持された非接触式ＩＣカード５１と円滑に通信することができる。
【００５５】
［第４実施形態］
次に、本発明の折畳み式の携帯端末を具現化した第４実施形態について、図１２を参照して説明する。図１２は、本第４実施形態に係る携帯端末１０ｃの要部を示す正面図である。
本第４実施形態に係る携帯端末１０ｃは、カード決済を行なうカード型記録媒体として上記各実施形態にて述べた磁気カード３１、接触式ＩＣカード４１および非接触式ＩＣカード５１が通信対象である。当該携帯端末１０ｃは、図１２に示すように、磁気ヘッド２４ａに加えて上述した端末側端子４３および送受信アンテナ５２を新たに採用するとともに、溝部１４ａに代えて上述した段部１４ｂおよび段部４２ｂ等からなる溝部６０が形成される点が、上記第１実施形態に係る携帯端末と異なる。
【００５６】
溝部６０には、上記各実施形態に対応する位置にて、磁気ヘッド２４ａ、端末側端子４３および送受信アンテナ５２が配置されている。これにより、１つの端末で上記３種類のカード型記録媒体と通信する場合であっても、通信対象のカード型記録媒体を溝部６０および第１対向面１１ａにより構成される挟持部により保持することができる。
【００５７】
［第５実施形態］
次に、本発明の折畳み式の携帯端末を具現化した第５実施形態について、図１３を参照して説明する。図１３は、本第５実施形態に係る携帯端末１０ｄの要部を示す説明であり、図１３（Ａ）は折畳み状態を示し、図１３（Ｂ）は折畳み状態から開状態へ変化する状態を示し、図１３（Ｃ）はカバーによる保護状態を示す。
本第５実施形態に係る携帯端末１０ｄは、カバー７０を新たに採用する点が、上記第１実施形態に係る携帯端末と異なる。したがって、上述した第１実施形態の携帯端末と実質的に同一の構成部分には同一符号を付し、説明を省略する。
【００５８】
カバー７０は、開状態での磁気ヘッド２４ａを保護する保護部材として機能するもので連結部７１と保護部７２とを備えている。連結部７１は、一側端部にて保護部７２に連結されるとともに他側端部にて第１筐体１１のヒンジ１３近傍の端面に固定されており、図１３（Ａ）に示すように折畳み状態では、一側端部を除く部位が第２筐体１２内に収容されている。そして、連結部７１は、図１３（Ｂ），（Ｃ）に示すように、第１対向面１１ａと第２対向面１２ａとが離間する開状態になると、第１筐体１１に押し込まれるように一側端部をも第２筐体１２内に収容されることとなる。
【００５９】
また、保護部７２は、図１３（Ａ）に示すように折畳み状態では、溝部１４ａ近傍の第２筐体１２内に収容されている。そして、保護部７２は、図１３（Ｂ），（Ｃ）に示すように、第１対向面１１ａと第２対向面１２ａとが離間する開状態になると、上述のように第２筐体１２内に押し込まれた連結部７１の押し込み量に応じて押し出されるようにして、磁気ヘッド２４ａを保護するように溝部１４ａ内に露出する。
【００６０】
このように、第１対向面１１ａと第２対向面１２ａとが離間する開状態時に磁気ヘッド２４ａを保護するカバー７０が設けられているので、操作部２２の操作時等に第１対向面１１ａと第２対向面１２ａとを離間させる場合であっても、カバー７０により磁気ヘッド２４ａを確実に保護することができる。
【００６１】
また、カバー７０により開状態時に磁気ヘッド２４ａを保護することに限らず、開状態時に機構的または電子制御的に磁気ヘッド２４ａを保護する保護部材を設けてもよい。なお、この保護部材または上記カバー７０により、上述した端末側端子４３をも保護しても、同様の効果を奏する。
【００６２】
なお、本発明は上記各実施形態に限定されるものではなく、以下のように具体化してもよく、その場合でも、上記各実施形態と同等の作用・効果が得られる。
（１）挟持部１４は、溝部１４ａが第２対向面１２ａに形成されることでこの溝部１４ａと第１対向面１１ａとにより構成されることに限らず、溝部１４ａが第１対向面１１ａに形成されることでこの溝部１４ａと第２対向面１２ａとにより構成されてもよいし、両対向面１１ａ，１２ａの双方に形成される溝部により構成されてもよい。挟持部４２などの他の挟持部についても同様である。
【００６３】
（２）磁気ヘッド２４ａは、溝部１４ａに配置されることに限らず、挟持部１４を構成する第１対向面１１ａの部位に配置されてもよい。また、端末側端子４３は、溝部４２ａに配置されることに限らず、挟持部４２を構成する第１対向面１１ａの部位に配置されてもよい。また、送受信アンテナ５２は、溝部１４ａ近傍の第２筐体１２内に配置されることに限らず、挟持部１４を構成する第１対向面１１ａ近傍の第１筐体１１内に配置されてもよい。
【００６４】
（３）本発明は、磁気カード３１や接触式ＩＣカード４１、非接触式ＩＣカード５１を通信対象とする携帯端末に適用されることに限らず、他のカード型記録媒体を通信対象とする携帯端末に適用されてもよい。
【００６５】
（４）検知スイッチ２６は、突起２６ａに作用する押圧力により折畳み状態および開状態のいずれかの状態を検知することに限らず、例えば、接触センサ等を用いることで、折畳み状態および開状態のいずれかの状態を検知してもよい。
【００６６】
（５）検知スイッチ２６により開状態から折畳み状態への変化が検知されることにより、カード読取部２４を自動的に通信可能状態にすることに限らず、例えば、専用のスイッチを設けこのスイッチの操作に応じてカード読取部２４を通信可能状態してもよい。また、使用状況に応じて、カード読取部２４を、常時通信可能状態にしてもよい。
【００６７】
（６）操作部２２の複数のキーは、第１対向面１１ａおよび第２対向面１２ａの双方に設けられることに限らず、どちらか一方の対向面に配置されてもよい。また、操作部２２は、複数のキーから構成されることに限らず、例えば、表示部２３をタッチパネルとすることで構成されてもよい。
【符号の説明】
【００６８】
１０，１０ａ，１０ｂ，１０ｃ，１０ｄ…携帯端末（折畳み式携帯端末）
１１…第１筐体
１１ａ…第１対向面
１２…第２筐体
１２ａ…第２対向面
１４，４２，…挟持部
１４ａ，４２ａ，６０…溝部
１４ｂ，４２ｂ…段部
２２…操作部
２４…カード読取部（通信手段）
２４ａ…磁気ヘッド（通信手段）
２６…検知スイッチ（検知手段）
３１…磁気カード（カード型記録媒体）
３１ａ…磁気ストライプ
４１…接触式ＩＣカード（カード型記録媒体）
４１ａ…カード側端子
４３…端末側端子（通信手段）
５１…非接触式ＩＣカード（カード型記録媒体）
５２…送受信アンテナ（通信手段）
７０…カバー（保護部材）
７１…連結部
７２…保護部
【図１】
2011166275.tif 000003
【図２】
2011166275.tif 000004
【図３】
2011166275.tif 000005
【図４】
2011166275.tif 000006
【図５】
2011166275.tif 000007
【図６】
2011166275.tif 000008
【図７】
2011166275.tif 000009
【図８】
2011166275.tif 000010
【図９】
2011166275.tif 000011
【図１０】
2011166275.tif 000012
【図１１】
2011166275.tif 000013
【図１２】
2011166275.tif 000014
【図１３】
2011166275.tif 000015